(57)【要約】【課題】ブロワがブロワに定められた使用圧力範囲の上限を上回る圧力で使用された際に、そのことを使用者に知らせることができるブロワ用警報装置を提供すること。【解決手段】使用圧力範囲の上限を上回る圧力でブロワが使用した際、ブロワ用警報装置１０内の分岐流路１４からの吐出圧力により分岐流路１４先端の変位栓２０がスプリング２２を圧縮しながら変位し、分岐流路１４は開放状態となる。開放状態となり分岐流路１４から管口３４へと流れたブロワの吐出空気は、送気空間３８を通り放音口３６からブロワ用警報装置外部へと放出されることで警報音として笛音を発する。【選択図】図３
2018159366.tif 000002
【特許請求の範囲】
【請求項１】
ブロワからの吐出空気を通過させる主流路と、該主流路から分岐した分岐流路と、ブロワに定められた使用圧力範囲の上限を上回る圧力でブロワを使用した際に、該分岐流路からの吐出圧力により該分岐流路を開放する開放機構と、該分岐流路開放時に該分岐流路から先へブロワの吐出空気が流れることで笛音を発する放音口により、警報音として笛音を発することのできる警報機構とを有することを特徴とするブロワ用警報装置。
【請求項２】
前記開放機構が、該分岐流路を通して流れたブロワの吐出空気により一定以上の吐出圧力がかかることで、吐出方向へと変位して該分岐流路を開放する変位栓と、該変位栓を該分岐流路を閉止する位置へと付勢するスプリングとを有することを特徴とする請求項１に記載のブロワ用警報装置。
【請求項３】
前記開放機構は、圧力上限調整ネジと、該圧力調整ネジの先端に設けられ、該圧力上限調整ネジが締められたときに、該スプリングを該変位栓との間で圧縮し、該変位栓の変位による該分岐流路の開放に必要な吐出圧力を大きくする調整板とを有することを特徴とする請求項２に記載のブロワ用警報装置。
【請求項４】
前記警報機構は、該変位栓が該分岐流路からの吐出方向へと一定距離変位することで、該分岐流路から先へ流れた吐出空気の入口となる管口と、該管口へと流れた吐出空気を貯留し、貯留した吐出空気を該放音口へと流す送気空間とを有することを特徴とする請求項２又は３に記載のブロワ用警報装置。
【請求項５】
ブロワ吐出口と該主流路とを接続する接続管であって、該主流路の入口部分から取り外しが可能である接続管を有することを特徴とする請求項１乃至４の何れか一項に記載のブロワ用警報装置。
【発明の詳細な説明】
【技術分野】
【０００１】
本発明は、ブロワがブロワに定められた使用圧力範囲の上限を上回る圧力で使用された際に、そのことを使用者に知らせることができるブロワ用警報装置に関する。
【背景技術】
【０００２】
一般的なブロワは使用圧力範囲上限を上回る圧力で使用し続けると、コンプレッサが故障し動作不良となる可能性が高く、そうなった場合コンプレッサが修理不能となることがある。このような使用圧力範囲外での使用を防止するために、例えば特許文献１においては、ブロワの吐出配管からの吐出圧力をセンサにより検出し、検出した吐出圧力が設定した基準圧力の範囲外となった場合に、そのことを警報により使用者へ知らせることができるようになっている。
【先行技術文献】
【特許文献】
【０００３】
【特許文献１】特許第３９７６０７２号公報
【発明の概要】
【発明が解決しようとする課題】
【０００４】
しかし、このような警報装置は電源を必要とする警報機構を警報装置内に設ける必要があった。
【０００５】
本発明は、ブロワ用警報装置自体に電源を必要とせずに使用圧力上限を上回る圧力での使用を使用者に知らせることができるブロワ用警報装置を提供することを目的とする。
【課題を解決するための手段】
【０００６】
すなわち本発明は、ブロワからの吐出空気を通過させる主流路と、該主流路から分岐した分岐流路と、ブロワに定められた使用圧力範囲の上限を上回る圧力でブロワを使用した際に、該分岐流路からの吐出圧力により該分岐流路を開放する開放機構と、該分岐流路の開放時に該分岐流路から先へブロワの吐出空気が流れることで笛音を発する放音口により、警報音として笛音を発することのできる警報機構とを有することを特徴とするブロワ用警報装置を提供する。
【０００７】
本ブロワ用警報装置をブロワ吐出口と吐出対象物の間に取り付けることで、ブロワの使用圧力上限を上回る圧力での使用を使用者に知らせることができる。また、従来のブロワ用警報装置付きブロワのように、電源を必要とした警報機構を設ける必要が無い。
【０００８】
具体的には、前記開放機構が、該分岐流路を通して流れたブロワの吐出空気により一定以上の吐出圧力がかかることで、吐出方向へと変位して該分岐流路を開放する変位栓と、該変位栓を該分岐流路を閉止する位置へと付勢するスプリングとを有することができる。
【０００９】
前記開放機構は、圧力上限調整ネジと、該圧力調整ネジの先端に設けられ、該圧力上限調整ネジが締められたときに該スプリングを該変位栓との間で圧縮し、該変位栓の変位による該分岐流路の開放に必要な吐出圧力を大きくする調整板とを有することができる。
【００１０】
前記警報機構は、該変位栓が該分岐流路からの吐出方向へと一定距離変位することで該分岐流路から先へ流れた吐出空気の入口となる管口と、該管口へと流れた吐出空気を貯留し、貯留した吐出空気を該放音口へと流す送気空間とを有することができる。
【００１１】
ブロワ吐出口と該主流路とを接続する接続管であって、該主流路の入口部分から取り外しが可能である接続管を有することができる。
【００１２】
以下、本発明に係るブロワ用警報装置の実施形態を添付図面に基づき説明する。
【図面の簡単な説明】
【００１３】
【図１】本発明の第１の実施形態に係るブロワ用警報装置の側面図である。
【図２】図１のブロワ用警報装置の上面図である。
【図３】図２のＩＩＩ−ＩＩＩ線における、ブロワ用警報装置の断面図である。
【図４】図１のＩＩ−ＩＩ線における、ブロワ用警報装置の上面断面図である。
【図５】図２のＩＩＩ−ＩＩＩ線における、分岐流路開放時のブロワ用警報装置の断面図である。
【図６】本発明の第２の実施形態に係るブロワ用警報装置の断面図である。
【図７】図６のブロワ用警報装置において、分岐流路が開放された状態を示す図である。
【発明を実施するための形態】
【００１４】
本発明の第１の実施形態に係るブロワ用警報装置１０は、図１及び図３に示すように、図示しないブロワからの吐出空気を通過させる主流路１２と、主流路１２から分岐した分岐流路１４と、分岐流路１４からの吐出圧力により分岐流路１４を開放する開放機構１６と、分岐流路１４から先へ吐出空気が流れることで警報音として笛音を発する警報機構１８とを備えている。開放機構１６は、分岐流路１４からの吐出圧力により吐出方向へと変位して分岐流路１４を開放する変位栓２０と、変位栓２０を分岐流路１４を閉止する閉止位置へ付勢するスプリング２２を有している。当該ブロワ用警報装置１０は、さらにブロワ吐出口と主流路１２とを接続する接続管２６を備えている。接続管２６はブロワ用警報装置１０から取り外し可能とされており、ブロワの吐出口の径に応じて種々の形式のものとすることができる。当該ブロワ用警報装置１０をブロワ吐出口と浄化槽や水槽等の吐出対象先との間に取り付けることで、後述するように、ブロワの使用圧力上限を上回る圧力での使用時に警報機構１８より警報音を発するようになっている。
【００１５】
変位栓２０は、分岐流路１４からの吐出圧力により、変位栓２０が当接している分岐流路接面２８より吐出方向へと変位可能となっている。分岐流路１４からの吐出圧力が一定以上となると、変位栓２０が分岐流路接面２８からスプリング２２を圧縮しながら変位することで分岐流路１４は開放状態となり、分岐流路１４からの吐出空気は警報機構１８内へと流れる。
【００１６】
図３及び図４の通り、警報機構１８は、分岐流路１４から先へ流れた吐出空気の入口となる管口３４と、管口３４から流れた空気を貯留するための送気空間３８と、送気空間３８に貯留された空気を吐出して警報音としての笛音を発する放音口３６とを有している。管口３４から流れた空気を送気空間３８に貯留することで、放音口３６から安定して笛音を発することができるようになる。
【００１７】
ブロワ用警報装置１０の外部には、外部より警報機構１８内に水が浸入することを防止するため、放音口３６上部に吸水防止部材４０が設けられている。
【００１８】
図２、図３及び図５の通り、スプリング２２の上部に設けられた圧力上限調整ネジ２４を締めることでスプリング２２を変位栓２０の方向へ圧縮する調整板３０と、圧力上限調整ネジ２４を調整する際に握り手部分となる調整部３２とを有している。調整部３２をつまんで圧力上限調整ネジ２４を締めることによりスプリング２２を変位栓２０の方向へ圧縮することで、変位栓２０の変位に必要な分岐流路１４からの吐出圧力を調整することができる。
【００１９】
図１及び図２に示すように、ブロワ用警報装置１０の警報装置上部４２と警報装置下部４４とは取り付けネジ４６により固定されている。
【００２０】
次に当該ブロワ用警報装置の動作について図３及び図５を参照にして説明する。まず、当該ブロワ用警報装置１０をブロワ吐出口と吐出対象先の間に取り付けた状態で、ブロワを使用圧力範囲内で使用している間は、図３に示すように変位栓２０が分岐流路接面２８と接して分岐流路１４を閉止している閉状態となる。このとき、分岐流路１４は閉じた状態であるため、接続管２６から、主流路１２、分岐流路１４へと流れたブロワの吐出空気は、分岐流路１４から管口３４へは流れない。
【００２１】
使用圧力上限を上回る圧力でブロワを使用すると、図５に示すように分岐流路１４からの吐出圧力により、変位栓２０がスプリング２２を圧縮しながら変位して分岐流路１４を開放することで、接続管２６から主流路１２、分岐流路１４へと流れたブロワの吐出空気は、管口３４へと流れる。管口３４へ流れたブロワの吐出空気は、送気空間３８を通って放音口３６からブロワ用警報装置外部へと放出されることで警報音として笛音を発する。
【００２２】
このように当該ブロワ用警報装置１０においては、ブロワ吐出口と吐出対象先の間に取り付けることで、ブロワの使用圧力上限を上回る圧力で使用した際に警報音を発することができる。これにより、ブロワが使用圧力上限を上回る圧力で使用されていることを使用者に知らせることができる。また、従来のブロワ用警報装置付きブロワのように、ブロワの本体内に電源を必要とした警報機構を設ける必要が無い。
【００２３】
図６及び図７に示す本発明の第２の実施形態に係るブロワ用警報装置５０は、開放機構が上記第１の実施形態に係るブロワ用警報装置１０と異なる。当該実施形態における開放機構５１は、変位栓２０を円形状の受圧膜５２に変更している。受圧膜５２は、その外周が保持部材５４によって分岐流路１４に固定されており、ブロワの使用圧力範囲内での使用時には受圧膜５２により分岐流路１４が塞がれた閉状態となる。ブロワの使用圧力上限を上回る圧力が分岐流路１４から受圧膜５２にかかり続けることで受圧膜５２は破け、分岐流路１４は開放状態となる。分岐流路１４よりブロワの吐出空気が管口３４へと流れることで、第１の実施形態と同様に警報音として笛音を発することができる。
【符号の説明】
【００２４】
ブロワ用警報装置１０；主流路１２；分岐流路１４；開放機構１６；警報機構１８；変位栓２０；スプリング２２；圧力上限調整ネジ２４；接続管２６；分岐流路接面２８；調整板３０；調整部３２；管口３４；放音口３６；送気空間３８；吸水防止部材４０；警報装置上部４２；警報装置下部４４；取り付けネジ４６；ブロワ用警報装置５０；開放機構５１；受圧膜５２；保持部材５４
【図１】
2018159366.tif 000003
【図２】
2018159366.tif 000004
【図３】
2018159366.tif 000005
【図４】
2018159366.tif 000006
【図５】
2018159366.tif 000007
【図６】
2018159366.tif 000008
【図７】
2018159366.tif 000009
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
ブロワからの吐出空気を通過させる主流路と、該主流路から分岐した分岐流路と、ブロワに定められた使用圧力範囲の上限を上回る圧力でブロワを使用した際に、該分岐流路からの吐出圧力により該分岐流路を開放する開放機構と、該分岐流路開放時に該分岐流路から先へブロワの吐出空気が流れることで笛音を発する放音口により、警報音として笛音を発することのできる警報機構とを有するブロワ用警報装置であって、
前記開放機構が、該分岐流路を通して流れたブロワの吐出空気により一定以上の吐出圧力がかかることで、吐出方向へと変位して該分岐流路を開放する変位栓と、該変位栓を該分岐流路を閉止する位置へと付勢するスプリングと、圧力上限調整ネジと、該圧力調整ネジの先端に設けられ、該圧力上限調整ネジが締められたときに、該スプリングを該変位栓との間で圧縮し、該変位栓の変位による該分岐流路の開放に必要な吐出圧力を大きくする調整板とを有し、
前記警報機構は、該変位栓が該分岐流路からの吐出方向へと一定距離変位することで、該分岐流路から先へ流れた吐出空気の入口となる管口と、該管口へと流れた吐出空気を貯留し、貯留した吐出空気を該放音口へと流す送気空間とを有し、
該送気空間が該主流路及び該分岐流路よりも細い流路を通った先に配置されており、該送気空間から該放音口までの流路が、該細い流路よりもさらに細い流路とされていることを特徴とするブロワ用警報装置。
【請求項２】
ブロワ吐出口と該主流路とを接続する接続管であって、該主流路の入口部分から取り外しが可能である接続管を有することを特徴とする請求項１に記載のブロワ用警報装置。
【手続補正２】
【補正対象書類名】図面
【補正対象項目名】図３
【補正方法】変更
【補正の内容】
【図３】
2018159366.tif 000010
【手続補正３】
【補正対象書類名】図面
【補正対象項目名】図４
【補正方法】変更
【補正の内容】
【図４】
2018159366.tif 000011
【手続補正４】
【補正対象書類名】図面
【補正対象項目名】図５
【補正方法】変更
【補正の内容】
【図５】
2018159366.tif 000012
【手続補正５】
【補正対象書類名】図面
【補正対象項目名】図６
【補正方法】変更
【補正の内容】
【図６】
2018159366.tif 000013
【手続補正６】
【補正対象書類名】図面
【補正対象項目名】図７
【補正方法】変更
【補正の内容】
【図７】
2018159366.tif 000014